(57)【特許請求の範囲】
【請求項１】
除毛器の除毛ヘッド（２）を乾燥し除菌するための除菌乾燥装置であって、
除菌乾燥装置のハウジング（１５）には、除毛ヘッド（２）を支持するヘッド装填部（２１）が設けられており、
ヘッド装填部（２１）に、除毛ヘッド（２）に対して乾燥用の熱を供給するヒーターユニット（２５）と、除毛ヘッド（２）に殺菌光を照射する殺菌灯（２６）とが配置してあり、
ヘッド装填部（２１）に装填した除毛ヘッド（２）と正対するヘッド装填部（２１）の底壁（２１ｂ）の内面に、ヒーターユニット（２５）を構成するヒーター（７６）が環状に配置されており、
ヒーター（７６）で囲まれる空間に殺菌灯（２６）が配置してあることを特徴とする除毛器用の除菌乾燥装置。
【請求項２】
ヘッド装填部（２１）の底壁（２１ｂ）が、ヒーター（７６）と対向する伝熱壁（３４）と、殺菌灯（２６）の配置領域と対向する導光壁（３５）とで構成されており、
伝熱壁（３４）が、熱伝導性に優れたゴム状の弾性材で形成されており、
導光壁（３５）が、紫外光の透過を許す板材で形成してある請求項１に記載の除毛器用の除菌乾燥装置。
【請求項３】
ヒーターユニット（２５）が、ヒーターベース（７５）と、ヒーターベース（７５）に環状に配置されるヒーター（７６）と、ヒーター（７６）と前記伝熱壁（３４）との間に配置される金属板製の伝熱板（７７）とを含んで構成されており、
導光壁（３５）が前記伝熱壁（３４）に設けた窓開口（３３）に装着されて、伝熱壁（３４）で水密状に封止してある請求項２に記載の除毛器用の除菌乾燥装置。
【請求項４】
ハウジング（１５）の内部に、乾燥風を送給する送風器（２４）が設けられており、
送風器（２４）から送給された乾燥風をヘッド装填部（２１）へ向かって送給案内する乾燥風導入口（３２）が、ヘッド装填部（２１）の底壁（２１ｂ）に隣接して開口してある請求項２または３に記載の除毛器用の除菌乾燥装置。
【請求項５】
ヘッド装填部（２１）に隣接して、除毛器を支持する載置部（２２）が凹み形成されており、
載置部（２２）の底壁（２２ｂ）に乾燥風導入口（３２）が開口してある請求項４に記載の除毛器用の除菌乾燥装置。
【請求項６】
底壁（２１ｂ）を含むヘッド装填部（２１）の下半部と、底壁（２２ｂ）を含む載置部（２２）の下半部とが、熱伝導性に優れたゴム状の弾性材で形成したトレー体（３０）として一体に形成してある請求項５に記載の除毛器用の除菌乾燥装置。
【請求項７】
載置部（２２）の底壁（２２ｂ）に形成した乾燥風導入口が、除毛器からヘッド装填部（２１）に流下した水の排水口（３２）を兼ねている請求項５または６に記載の除毛器用の除菌乾燥装置。
【発明の詳細な説明】
【技術分野】
【０００１】
本発明は、電気かみそり、バリカン、脱毛器などの除毛器の除毛ヘッドを除菌し乾燥するための除菌乾燥装置に関する。
【背景技術】
【０００２】
この種の除菌乾燥装置は例えば特許文献１に開示してある。そこでは、水洗い式の電気かみそり用の乾燥器に、充電構造と乾燥構造を設けている。乾燥器は、載置凹部を備えたケーシングと、載置凹部の上面を開閉する蓋を備えており、蓋を開放した状態において、倒立姿勢にした電気かみそりを載置凹部に差込んで、水洗い後のかみそりヘッドを乾燥構造で乾燥できる。また、蓋を閉止した状態では、電気かみそりの充電プラグを蓋に設けたソケットに接続することにより、電気かみそりに内蔵された２次電池を充電できる。かみそりヘッドを乾燥する場合には、ヒーターと送風ファンを同時に駆動して、乾燥風をヒーターで加熱してかみそりヘッドへ向かって送給し、同時にかみそりヘッドの刃部に向かって紫外線をＬＥＤで照射して除菌する。ヒーターのみを作動させて除菌モードにし、あるいは送風ファンのみを作動させて冷却モードにして使用することもできる。
【０００３】
本発明の除菌乾燥装置においては、例えば電気かみそりのかみそりヘッドに紫外光を照射して外刃および内刃を除菌するが、この種の除菌装置は本出願人の出願に係る特許文献２の充電器に公知である。そこでは、充電器ベースの一側に、かみそりヘッドを保持するキャップを揺動可能に軸支し、ベースとキャップとで電気かみそりを横臥姿勢に支持した状態で、キャップの内部に設けた紫外光照射灯（以下、単にＵＶ灯と言う。）で紫外光を照射して、外刃および内刃を除菌している。また、かみそりヘッドの内部には、充電器側のＵＶ灯とは別にＵＶ灯が設けてあるので、かみそりヘッドの内外両面から紫外光を照射して、さらに確実に除菌を行える。
【先行技術文献】
【特許文献】
【０００４】
【特許文献１】特開２００８−２７９２０７号公報（段落番号００３３、図１）
【特許文献２】特開２００４−１０５３２７号公報（段落番号００６５、図１０）
【発明の概要】
【発明が解決しようとする課題】
【０００５】
特許文献１の乾燥器によれば、水洗い後のかみそりヘッドを乾燥構造で乾燥し、あるいは電気かみそりの２次電池を充電構造で充電することができる。また、ヒーターの熱をかみそりヘッドに伝導して外刃および内刃を除菌し、さらに刃部に向かって紫外線をＬＥＤで照射して除菌することができる。しかし、紫外線を照射するＬＥＤと刃部とが離れているので、刃部に充分な紫外線を照射できず、ＬＥＤによる除菌を確実に行えない。
【０００６】
その点、特許文献２の充電器は、かみそりヘッドの内部に設けたＵＶ灯と、かみそりヘッドと正対するキャップの内部に設けたＵＶ灯とで紫外光を照射するので、外刃、内刃はもちろん、外刃ホルダーの内外面に存在する雑菌をより確実に除菌できる。しかし、特許文献１の乾燥器のようにヒーターや送風ファンなどの乾燥構造を備えていないので、水洗い乾燥したかみそりヘッドは自然乾燥させる以外になく、乾燥に時間が掛かる。
【０００７】
本発明の目的は、ヒーターの熱による乾燥作用と、殺菌灯の照射光による殺菌作用とで、かみそりヘッドなどの除毛ヘッドの乾燥と、雑菌の除菌とを行える除毛器用の除菌乾燥装置を提供することにある。
本発明の目的は、水に濡れ、あるいは水洗い洗浄した除毛器の除菌乾燥機能に加えて、充電機能を備えた除毛器用の除菌乾燥装置を提供することにある。
【課題を解決するための手段】
【０００８】
本発明は、除毛器の除毛ヘッド２を乾燥し除菌するための除菌乾燥装置に係り、図１に示すように、除菌乾燥装置のハウジング１５には、除毛ヘッド２を支持するヘッド装填部２１が設けてある。ヘッド装填部２１に、除毛ヘッド２に対して乾燥用の熱を供給するヒーターユニット２５と、除毛ヘッド２に殺菌光を照射する殺菌灯２６とが配置してあることを特徴とする。
【０００９】
ヘッド装填部２１に装填した除毛ヘッド２と正対するヘッド装填部２１の底壁２１ｂの内面に、ヒーターユニット２５を構成するヒーター７６を環状に配置する。ヒーター７６で囲まれる空間に殺菌灯２６を配置する。
【００１０】
ヘッド装填部２１の底壁２１ｂは、ヒーター７６と対向する伝熱壁３４と、殺菌灯２６の配置領域と対向する導光壁３５とで構成する。伝熱壁３４は、熱伝導性に優れたゴム状の弾性材で形成する。導光壁３５は、紫外光の透過を許す板材で形成する。
【００１１】
ヒーターユニット２５は、図９に示すように、ヒーターベース７５と、ヒーターベース７５に環状に配置されるヒーター７６と、ヒーター７６と伝熱壁３４との間に配置される金属板製の伝熱板７７とを含んで構成する。導光壁３５は、伝熱壁３４に設けた窓開口３３に装着されて、伝熱壁３４で水密状に封止してある。
【００１２】
ハウジング１５の内部に、乾燥風を送給する送風器２４を設ける。送風器２４から送給された乾燥風をヘッド装填部２１へ向かって送給案内するための乾燥風導入口３２を、ヘッド装填部２１の底壁２１ｂに隣接して開口する（図８参照）。
【００１３】
ヘッド装填部２１に隣接して、除毛器を支持する載置部２２を凹み形成する。載置部２２の底壁２２ｂに乾燥風導入口３２を開口する。
【００１４】
底壁２１ｂを含むヘッド装填部２１の下半部と、底壁２２ｂを含む載置部２２の下半部とは、熱伝導性に優れたゴム状の弾性材で形成したトレー体３０として一体に形成する。
【００１５】
載置部２２の底壁２２ｂに形成した乾燥風導入口は、除毛器からヘッド装填部２１に流下した水の排水口３２を兼ねる。
【００１６】
ヘッド装填部２１の底壁２１ｂを、ヘッド装填部２１の側から載置部２２の底壁２２ｂの排水口３２へ向かって下り傾斜させる。
【００１７】
ハウジング１５に、ヘッド装填部２１と、載置部２２と、充電部２３を記載順に配置する。ヘッド装填部２１の底壁２１ｂと、充電部２３の基底部３７に連続する載置部２２の支持壁４４とのそれぞれを、排水口３２へ向かって下り傾斜させる。
【００１８】
ヒーター７６の近傍に、除毛器が置かれている環境温度を検知し、ヒーター７６の駆動後にはヒーター温度を検知する温度センサー７８を配置する。ハウジング１５に、ヒーターユニット２５、送風器２４、および殺菌灯２６の作動状態を制御する制御回路を設ける。制御回路は、前記温度センサー７８の環境温度の検知信号と、予め設定された温度条件とを比較して、除菌乾燥する処理時間を環境温度に応じて大小に変更する。さらに、制御回路は、ヒーターユニット２５の駆動中には、温度センサー７８の検知信号に応じて、ヒーター７６の発熱温度を設定温度に維持する。
【００１９】
制御回路は、送風器２４の起動に先行してヒーターユニット２５を駆動させ、所定時間が経過したのちに送風器２４を起動させるように構成する。送風器２４の起動に先行してヒーター７６の熱のみで除毛ヘッド２を除菌乾燥し、次いで、ヒーター７６の熱と送風器２４から送給される乾燥風との相互作用で除菌乾燥を行う。
【００２０】
制御回路は、ヒーター７６と送風器２４とを駆動して所定時間が経過したのちに送風器２４を停止させるように構成する。除菌乾燥過程の終段において、ヒーター７６の熱のみで再度除菌乾燥を行う。
【００２１】
制御回路は、除菌乾燥過程が終了した時点でヒーター７６の駆動を停止し、送風器２４を起動するように構成する。除菌乾燥過程の後に、除毛ヘッド２を常温の乾燥風で冷却する。
【００２２】
除毛ヘッド２を構成する部品の表面に光触媒膜を形成する。
【発明の効果】
【００２３】
本発明においては、ハウジング１５のヘッド装填部２１にヒーターユニット２５と殺菌灯２６とを設けて、乾燥用の熱と殺菌光とを除毛ヘッド２に対して同時に作用させて除菌と乾燥を行なえるようにした。このように、除毛ヘッド２をヒーターユニット２５の熱による加熱作用と、殺菌灯２６の紫外光による殺菌作用とで除菌乾燥すると、除毛ヘッド２の内外に存在する雑菌を確実に殺菌し、雑菌が繁殖する余地のない乾燥状態を維持して、除毛ヘッド２を衛生的な状態に保持できる。
【００２４】
ヒーター７６を環状に配置し、ヒーター７６で囲まれる空間に殺菌灯２６を配置すると、ヒーター７６および殺菌灯２６のそれぞれを、除毛ヘッド２に最も接近した状態で配置して、ヒーター７６による加熱と殺菌灯２６による殺菌とを効果的に行うことができる。また、ヒーター７６による熱伝導領域と、殺菌灯２６による殺菌領域を内外に隣接させて、空間の無駄がない状態でヒーター７６と殺菌灯２６を配置できるので、除菌乾燥のための構造をコンパクト化できる。
【００２５】
伝熱壁３４と導光壁３５とでヘッド装填部２１の底壁２１ｂを構成し、伝熱壁３４を熱伝導性に優れたゴム状の弾性材で形成すると、ヘッド装填部２１に装填した除毛ヘッド２をクッション性を備えた伝熱壁３４で受止めることができる。また、ヒーター７６の熱を伝熱壁３４を介して効果的に除毛ヘッド２に伝導できる。さらに、紫外光の透過を許す板材で形成した導光壁３５で、除毛ヘッド２を安定した状態で受止めて支持できるので、全体として、ヘッド装填部２１に装填した除毛ヘッド２に対する熱伝導と、殺菌光の照射とを効果的に行うことができる。
【００２６】
ヒーターベース７５と、ヒーター７６と、伝熱板７７などでヒーターユニット２５を構成すると、ヒーター７６の熱を伝熱板７７で面状に拡散させた状態で伝熱壁３４に伝導でき、従って、除毛ヘッド２の加熱をむらなく均等に行うことができる。また、伝熱壁３４の窓開口３３に装着した導光壁３５を、伝熱壁３４で水密状に封止することにより、ヘッド装填部２１に装填した除毛ヘッド２から流落ちる水が、ヒーターユニット２５の側へ浸入するのを確実に防止できる。伝熱壁３４を利用して導光壁３５の周囲を封止するので、別途、導光壁３５用の封止構造を設ける必要がないうえ、外部衝撃を伝熱壁３４で吸収して導光壁３５が位置ずれするのを良く防止できる。
【００２７】
ハウジング１５の内部に送風器２４を設け、送風器２４から送給された乾燥風を、乾燥風導入口３２を介してヘッド装填部２１へ向かって送給できるようにすると、ヒーター７６および殺菌灯２６の除菌乾燥作用に加えて、乾燥風の乾燥促進作用によっても除毛ヘッド２の乾燥を促進できる。従って、除毛ヘッド２の内外面に付着した水分の蒸発を促進し、より短い時間で除菌乾燥を行うことができる。また、送給された乾燥風の一部は、伝熱壁３４の熱や、除毛ヘッド２の熱で加熱されて相対湿度が低下するので、除毛ヘッド２の乾燥をさらに確実に行える。ヘッド装填部２１の内部において除毛ヘッド２から蒸発した水蒸気を、乾燥風で除菌乾燥装置の外へ排出して、ヘッド装填部２１の内部を乾燥しやすい状況に保持できる利点もある。
【００２８】
ヘッド装填部２１に隣接して載置部２２を凹み形成し、その底壁２２ｂに乾燥風導入口３２を開口すると、不使用時の除毛器の本体部１を載置部２２に装填し、その下部を乾燥風導入口３２に差込むことにより、除菌乾燥装置を収納用のスタンドとして使用できる。また、除菌乾燥装置を収納用のスタンドとして使用する場合には、本体部１の下部が載置部２２に入込む程度の大まかな操作で電気かみそりを適正に収納保管できる。さらに、本体部１を単に掴んで持ち上げるだけで、除毛器を除菌乾燥装置から取り出すことができ、その着脱を簡便に行える。
【００２９】
ヘッド装填部２１の下半部と載置部２２の下半部を、ゴム状の弾性材でトレー体３０として一体に形成すると、ヘッド装填部２１の底壁２１ｂと、載置部２２の底壁２２ｂを個別に設ける場合に比べて、除菌乾燥装置の構成部品点数を減らすことができる。また、ヘッド装填部２１および載置部２２に装填した除毛器の重みを、ゴム状の弾性材からなる底壁２１ｂ・２２ｂで受止めるので、ヘッド装填部２１および載置部２２に装填した除毛器が滑り動くのを、底壁２１ｂ・２２ｂの摩擦力で阻止して、除毛器を安定した状態で支持できる。
【００３０】
乾燥風導入口が水の排水口３２を兼ねるようにした除菌乾燥装置によれば、除毛器からヘッド装填部２１または載置部２２に流下した水を、排水口３２から排出して、ヘッド装填部２１および載置部２２の底に水が溜るのを防止できる。また、ヘッド装填部２１に装填した除毛ヘッド２の除菌乾燥を行う場合に、除毛ヘッド２から流れ落ちた水を、排水口３２から速やかに排出して、除毛ヘッド２の乾燥を促進できる。
【００３１】
ヘッド装填部２１の底壁２１ｂを排水口３２へ向かって下り傾斜させると、除毛ヘッド２から流下した水または水滴を、確実に排水口３２へ向かって流下し排水できるので、ヘッド装填部２１における除毛ヘッド２の乾燥をさらに促進することができる。また、ヘッド装填部２１に送給された乾燥風を底壁２１ｂで流動案内し、ヘッド装填部２１における乾燥風の通り抜けを促進して、除毛ヘッド２をさらに効果的に乾燥できる。
【００３２】
ヘッド装填部２１の底壁２１ｂと、載置部２２の支持壁４４を排水口３２へ向かって下り傾斜させると、水洗い洗浄した除毛器をヘッド装填部２１、載置部２２、あるいは充電部２３に装填した状態において、除毛器から流れ落ちる水の全てを排水口３２へ確実に流動案内できる。また、除毛器から流れ落ちた水を、底壁２１ｂおよび支持壁４４で集約して排水口３２へ流動し排出するので、水がヘッド装填部２１、載置部２２、あるいは充電部２３以外の部分に拡散し、あるいは除菌乾燥装置の周辺部に流れ出るのを防止できる。
【００３３】
ヒーター７６の近傍に配置した温度センサー７８を利用して、除毛器が置かれている環境温度を検知し、さらに、駆動後のヒーター温度を検知すると、１個の温度センサー７８のみで環境温度とヒーター温度を検知でき、その分だけ除菌乾燥装置の制御構造を簡素化できる。また、温度センサー７８の環境温度の検知信号と、予め設定された温度条件とを比較して、除菌乾燥する処理時間を制御回路で環境温度に応じて大小に変更することにより、除菌乾燥に要する処理時間を、季節あるいは気温の変化に対応して適正化できる。従って、除菌乾燥を行った結果が、季節あるいは気温の変化によってばらつくのを解消して、除毛ヘッド２の除菌乾燥を常に適正に行うことができる。また、ヒーターユニット２５の駆動時には、温度センサー７８の検知信号に応じて、ヒーター７６の発熱温度を制御回路で設定温度に維持することができる。
【００３４】
ヒーターユニット２５が送風器２４の起動に先行して駆動されるように、両者２４・２５の駆動タイミングを制御すると、ヒーター７６の熱で除毛ヘッド２を乾燥したのち、ヒーター７６の熱と送風器２４から送給される乾燥風との相互作用で乾燥を行うことができる。ヒーター７６の熱で除毛ヘッド２を先行して加熱する状況では、除毛ヘッド２を構成する各部材の温度を所定の温度にまで高めて、各部材に付着した水の蒸発を促進できる。また、ヒーター７６に加えて送風器２４を駆動する状況では、ヒーター７６の熱で蒸発した水蒸気を乾燥風で吹飛ばしながら、ヘッド装填部２１の内部を乾燥しやすい状態に保持して、熱と風の相互作用で乾燥をさらに促進できる。
【００３５】
除菌乾燥過程の終段においてヒーター７６の熱のみで再度加熱を行うように、ヒーター７６および送風器２４を制御すると、除毛ヘッド２を構成する各部材の温度を所定の温度にまで高めて、水が除去された状態の各部材を熱殺菌できる。従って、除毛ヘッド２の内外面を確実に殺菌乾燥させて衛生的な状態にすることができる。
【００３６】
除菌乾燥過程が終了した時点でヒーター７６の駆動を停止し、送風器２４を再び起動するようにヒーター７６および送風器２４を制御すると、加熱されていた除毛ヘッド２を乾燥風で冷却して常温の状態に戻すことができる。従って、除菌乾燥装置で処理した直後に除毛器を使用するような場合であっても、ユーザーが除毛ヘッド２に触れて熱い思いをすることがなく、除毛器を連続して快適に使用できる。
【００３７】
除毛ヘッド２を構成する部品の表面に光触媒膜を形成すると、光触媒膜が形成された部分に付着した毛屑、皮脂、汗などに含まれる有機物を光触媒膜で分解して、有機物の分解等による異臭の発生を防ぐことができ、除毛ヘッド２の内外面をさらに衛生的な状態に保持することができる。
【図面の簡単な説明】
【００３８】
【図１】本発明に係る除菌乾燥装置の要部の縦断側面図である。
【図２】本発明に係る除菌乾燥装置と除毛器の正面図である。
【図３】本発明に係る除菌乾燥装置の斜視図である。
【図４】本発明に係る除菌乾燥装置の側面図である。
【図５】除菌乾燥装置の分解断面図である。
【図６】除菌乾燥装置の平面図である。
【図７】ハウジングを構成するベース板とトレー体の分解平面図である。
【図８】除菌乾燥装置の縦断側面図である。
【図９】ヒーターユニットの分解斜視図である。
【図１０】載置部に電気かみそりを装填した収納時の使用状態を示す側面図である。
【図１１】充電部に電気かみそりを装填した使用状態を示す側面図である。
【図１２】ヘッド装填部に電気かみそりを装填した状態を示す側面図である。
【図１３】制御回路とセンサーおよび制御対象機器との関係を示すブロック図である。
【図１４】各機器の作動タイミングを示すタイミングチャートである。
【図１５】除菌乾燥装置の別の実施例を示す説明図である。
【発明を実施するための形態】
【００３９】
（実施例）  図１ないし図１３は本発明に係る除毛器用の除菌乾燥装置の実施例を示しており、除毛器が電気かみそりである場合の除菌乾燥装置を示している。本発明における前後、左右、上下とは、図２および図３に示す交差矢印と、矢印の先端近傍の前後、左右、上下の表示に従うものとする。
【００４０】
図２において電気かみそりは、グリップを兼ねる本体部１と、本体部１の上部に設けられるかみそりヘッド（除毛ヘッド）２とを備えている。かみそりヘッド２には、網刃からなる断面アーチ形の一対の外刃３と、各外刃３の内面に摺接するロータリー式の内刃４・４と、センター刃とが設けられており、本体部１の内部に設けたモーター５の回転動力で、内刃４・４を回転駆動できる。かみそりヘッド２は水洗い洗浄することができ、洗浄時に内刃４・４を駆動することにより、かみそりヘッド２の内部に付着した毛屑や皮脂などを効果的に洗い流すことができる。
【００４１】
本体部１にはモーター５に電力を供給する２次電池６が収容され、その前面にメインスイッチを切り換えるための押しボタン型のスイッチボタン７と、運転モードを表示するためのＬＥＤ表示８などが設けてある。本体部１の下端には、給電用のプラグ９が設けてあり、このプラグ９を介して充電電流を供給することにより２次電池６を充電することができる。符号１１は外刃３を支持する外刃ホルダーであり、その内部の毛屑室に切断された毛屑を溜めることができる。かみそりヘッド２の背面側には、図示していないきわ剃り刃ユニットの収容部１０が本体部１と一体に設けてある（図１０参照）。
【００４２】
除菌乾燥装置は、平面視において前後方向に長い楕円状のハウジング１５と、ハウジング１５の前端から斜め後ろへ向かって上り傾斜する楕円形の保持リング１６を備えている。図３ないし図５に示すように、ハウジング１５は、ベース体１７と、ベース体１７の上面を覆うハウジング本体１８などで構成されており、下向きに開口するハウジング本体１８の上面側に、ヘッド装填部２１と、載置部２２と、充電部２３が設けてある。また、ハウジング本体１８の内部には、軸流ファン（送風器）２４と、ヒーターユニット２５と、紫外光（殺菌光）を照射する殺菌ＬＥＤ（殺菌灯）２６と、排水パン２７などが収容してある。
【００４３】
ヘッド装填部２１は、電気かみそりを倒立姿勢で支持して乾燥し殺菌するために設けてあり、載置部２２は、電気かみそりを起立姿勢で収納支持するために設けてある。また、充電部２３は、電気かみそりの２次電池６を充電するために設けてある。図６および図８に示すように、ヘッド装填部２１と、載置部２２と、充電部２３は、ハウジング本体１８の前部から後部へわたって記載順に配置してある。ヘッド装填部２１と載置部２２とが、それぞれハウジング本体１８の上面に凹み形成されるのに対し、充電部２３はハウジング本体１８の上面よりも上向きに膨出する状態で形成してある。
【００４４】
ヘッド装填部２１と載置部２２とは、電気かみそりの支持空間を互いに共有する状態で前後に連続して形成してある。詳しくは、ヘッド装填部２１に装填した状態の電気かみそり（図１２参照）が占有する支持空間の一部と、載置部２２に装填した状態の電気かみそり（図１０参照）が占有する支持空間とが、前後に重なるように両載置部２１・２２が設けてある。図６に示すように、電気かみそりの本体部１の下部を受入れる載置部２２は半楕円状の凹みとして形成してある。また、本体部１より広幅のかみそりヘッド２を受入れるヘッド装填部２１は四隅が丸められた長方形状の凹みとして形成してあり、凹み後側の周囲壁の左右中央に載置部２２が連続して形成してある。
【００４５】
図５に示すように、両載置部２１・２２の凹みの上周囲壁２１ａ・２２ａはハウジング本体１８と一体に形成してあり、両載置部２１・２２の凹みの下周囲壁（下半部）および底壁２１ｂ・２２ｂは１個のトレー体３０で形成してある。ヘッド装填部２１の上周囲壁２１ａの前壁には、かみそりヘッド２を受止める３個の位置決めリブ３１が突設してある。トレー体３０は、耐熱性に富み、摩擦力が大きなゴム状弾性体を素材とする成形品からなり、その載置部２２側の底壁２２ｂには排水口３２が開口され、ヘッド装填部２１側の底壁２１ｂには窓開口３３が開口してある。
【００４６】
排水口３２は、軸流ファン２４から送給される乾燥風を、ヘッド装填部２１へ向かって送給案内する乾燥風導入口を兼ねている。ヘッド装填部２１側の底壁２１ｂは、窓開口３３の周囲を囲む伝熱壁３４と、窓開口３３を塞ぐ窓板（導光壁）３５とで構成されて、全体が排水口３２へ向かって下り傾斜させてある。ヘッド装填部２１の凹部の前壁には、先の位置決めリブ３１に対応する位置決めリブ３６が突設してある。これらのリブ３１・３６は、乾燥空気の排出路を確保する区分壁としても機能している。
【００４７】
充電部２３は、載置部２２の後側に隣接する状態で設けるが、載置部２２の上開口縁に連続して載置部２２より高い位置に形成する。充電部２３は、水平の基底部３７と、基底部３７に膨出形成されるコネクター部３８と、基底部３７の周縁を囲むＵ字状の周壁３９とで構成する。コネクター部３８は、平面視が凸字状に形成してあり、その内部に電気かみそりのプラグ９を接続するための一対の端子板４０が設けてある。
【００４８】
基底部３７と載置部２２の底壁２２ｂとの段差部分には、載置部２２に載置した電気かみそりの本体部１の周面を支持する支持壁４４が設けてある。支持壁４４は、底壁２２ｂから基底部３７へ向かって上り傾斜する傾斜壁で形成してあり、さらに支持壁４４の横断面は、本体部１の周囲形状に対応して、充電部２３の内部へ向かって内凹み状に湾曲させてある。支持壁４４の左右側縁は、周壁３９に連続するリブ壁４１で覆われており、その上下中途部に受止段部４２が形成してある。
【００４９】
上記のように、載置部２２の左右両側をリブ壁４１で覆うことにより、水洗い洗浄したかみそりヘッド２をヘッド装填部２１に装填した状態において、本体部１あるいは収容部１０などから滴る水滴が、周辺に流動し拡散するのを防止できる。また、受止めた水滴の全てを排水口３２へと流下することができる。左右のリブ壁４１の対向間隔は、収容部１０の左右幅より僅かに大きく設定してある。支持壁４４とリブ壁４１との間に、ヘッド装填部２１にかみそりヘッド２を装填した状態において、収容部１０を受止めて電気かみそり全体を安定的に支持する座壁４５が形成してある。
【００５０】
ハウジング本体１８の上面の前部には弦月形状の起動スイッチ５１が配置されており、この起動スイッチ５１の周囲を囲む状態で、保持リング１６がハウジング本体１８に固定してある。片持ち梁状に支持される保持リング１６を強固に支持するために、ハウジング本体１８の前部に支持段部５２が形成され、さらにハウジング本体１８の前部の左右に三角形状の受座５３が突設してある（図８参照）。図８において符号５４は溶着ピンであり、このピン５４をハウジング本体１８の前壁に係合したのち、先端を溶融変形することにより、保持リング１６をハウジング本体１８に固定できる。
【００５１】
図４に示すように、ハウジング本体１８の周囲壁の後部には、軸流ファン２４用の吸気口５５が多段溝状に開口してある。また、ハウジング本体１８の周囲壁の左右には、排水パン２７用の装着口５６がトンネル断面状に形成され、右壁の後部に電源コード５７のコードアーマー５８を収容する凹部５９が形成してある。
【００５２】
図５に示すように、ベース体１７の上面側は、その中途部上面に設けた区分壁６０で前後に区分されており、区分壁６０より前側に基板ユニット６１を収容する区画が設けられ、区分壁６０より後側にトレー体３０、軸流ファン２４、およびヒーターユニット２５を収容する区画が設けてある。区分壁６０より後側の区画の上面には、軸流ファン２４から送出された乾燥空気を載置部２２の排水口３２へ向かって流動案内するガイドリブ６２の一群が上突状に設けてある。図７に示すように、平面から見たときの区分壁６０はＣ字状に形成してある。
【００５３】
区分壁６０の傾斜壁には、殺菌ＬＥＤ２６を差込むためのＬＥＤ開口６３が左右に長い長方形状に開口してある。さらに、ガイドリブ６２の後方に軸流ファン２４を支持するブラケット６４が突設してある。区分壁６０およびガイドリブ６２の上縁部は、トレー体３０の下面を支持する支持構造を兼ねている。詳しくは図８に示すように、ベース体１７をハウジング本体１８に組付けた状態において、ヘッド装填部２１および載置部２２の上周囲壁２１ａ・２２ａの下開口と、区分壁６０およびガイドリブ６２の上縁部とで、トレー体３０の周縁のフランジ部３０ａを挟持し、さらに、トレー体３０の排水口３２の凹面状の周囲壁をガイドリブ６２で支持している。
【００５４】
図５に示すように、基板ユニット６１は、カバー体６７の上面に制御基板６８を垂直姿勢で固定し、その前面側にスイッチ素子６９と、スイッチ照明用のＬＥＤ７０とを実装し、その後面側に６個の殺菌ＬＥＤ２６を配置して構成してある。起動スイッチ５１は、スイッチ素子６９の上方に配置されて、保持リング１６とハウジング本体１８で上下スライド自在に支持されており、カバー体６７と起動スイッチ５１との間に配置した左右一対のばね７１で押し上げ付勢してある（図２参照）。
【００５５】
図８に示すように、軸流ファン２４は吸気口５５に臨むベース体１７の上面後部に配置されて、ブラケット６４に傾斜する姿勢で固定してある。図９において、ヒーターユニット２５は、左右に長い四角枠状のヒーターベース７５と、ヒーターベース７５の周囲に環状に配置されるシーズヒーター（ヒーター）７６と、金属板製の伝熱板７７と、発熱温度を監視する温度センサー７８と、図示していない温度ヒューズなどで構成してある。温度センサー７８は、シーズヒーター７６を駆動した後のヒーター温度を検知するために設けてあるが、除菌乾燥装置の使用を開始する直前に、電気かみそりが置かれている環境温度を検知することにも利用される。ヒーターユニット２５は、図７に示すように、ＬＥＤ開口６３の上面側の周囲壁にビス７９で固定されて、その伝熱板７７がトレー体３０の窓開口３３の下面周縁に密着している（図１参照）。従って、シーズヒーター７６の温熱（約６５℃）を、伝熱板７７を介してヘッド装填部２１の伝熱壁３４に伝導することができる。
【００５６】
基板ユニット６１をベース体１７に組付けた状態では、６個の殺菌ＬＥＤ２６がＬＥＤ開口６３内へ入込んで、窓開口３３に嵌込んだ透明の窓板３５と正対する。従って、殺菌ＬＥＤ２６を点灯した状態では、窓板３５を介してヘッド装填部２１の内部へ紫外光を照射することができる。窓板３５は窓開口３３に嵌込まれて、その周縁が伝熱壁３４で封止してある。従って、ヘッド装填部２１に装填したかみそりヘッド２から洗浄水が流下する場合でも、水が窓開口３３を介してヒーターユニット２５の側へ浸入することはない。
【００５７】
図４および図５において、排水パン２７は、左右に長い長方形状の浅い皿状部８４と、皿状部８４の左右両側に立設したつまみ部８５とを一体に備えており、全体がハウジング本体１８を左右に横断する状態で、装着口５６に着脱自在に装着してある。詳しくは、つまみ部８５の上部に設けた係合爪８６を、装着口５６の内面上方に設けた係合凹部８７に係合することにより、排水パン２７をハウジング本体１８に固定できる。また、一対のつまみ部８５を内向きに弾性変形させながら、係合爪８６と係合凹部８７の係合を解除することにより、排水パン２７をハウジング本体１８から取外すことができる。
【００５８】
図８に示すように、ハウジング本体１８に装着した排水パン２７の上面の後半部は、ベース体１７の底壁８８で覆われており、底壁８８で覆われていない残りの部分は、底壁８８に開口した開口８９を介してトレー体３０の排水口３２と正対している。ベース体１７に装着した排水パン２７は、排水口３２を介して視認することができる。従って、除菌乾燥装置を使用する際に、ハウジング１５の上面側から排水口３２を介して排水パン２７を視認することにより、排水パン２７の有無および装着状態を確認できる。
【００５９】
水洗い洗浄した電気かみそりは、かみそりヘッド２をヘッド装填部２１に装填した状態で乾燥し除菌する。しかし、かみそりヘッド２がヘッド装填部２１に装填されていない状態で、軸流ファン２４、ヒーターユニット２５、および殺菌ＬＥＤ２６が作動すると、無駄な電力が消費されるのはもちろん、ヘッド装填部２１の周囲壁が不必要に加熱されて高温になり、この高温部分に指先が触れて火傷するおそれがある。こうした、状況を確実に防止するために、片側のリブ壁４１の段部４６の上側にスイッチレバー９２を設けている。
【００６０】
図１に示すように、電気かみそりのかみそりヘッド２がヘッド装填部２１に倒立姿勢で装填された状態において、スイッチレバー９２が収容部１０の突端で押し下げられてスイッチ素子９３をオン操作する。この状態で、起動スイッチ５１を押下げ操作することにより、軸流ファン２４およびヒーターユニット２５を起動させ、さらに殺菌ＬＥＤ２６を点灯することができる。
【００６１】
以上のように構成した除菌乾燥装置は、電気かみそりをヘッド装填部２１と、載置部２２と、充電部２３のいずれかに載置した状態で使用する。不使用状態の電気かみそりを単に収納保管する場合には、図１０に示すように、本体部１の下部を載置部２２に差込み、本体部１の上部背面を保持リング１６にもたれさせる。この状態の電気かみそりは、除菌乾燥装置の最も低い位置で支持されており、しかも、本体部１の上下２個所が載置部２２と保持リング１６との２個所で安定的に支持される。このとき、電気かみそりを載置部２２に対して厳密に位置決めする必要はなく、本体部１の下部が載置部２２に入込む程度の大まかな操作で電気かみそりを適正に収納保管できる。また、本体部１あるいはかみそりヘッド２を単に掴んで持ち上げるだけで、電気かみそりを除菌乾燥装置から簡便に取り出すことができる。
【００６２】
収納状態における電気かみそりは、本体部１の下部が排水口３２に嵌まり込み、さらにゴム製のトレー体３０の底壁２２ｂで受止められるので、本体部１の下部が滑り動くのを良く防止できる。また、収納状態の電気かみそりは、除菌乾燥装置の最も低い位置で収納されるので、全高寸法を小さくでき、その分だけ収納スペースを小さくできる。
【００６３】
２次電池６の充電を行う場合には、図１１に示すように、本体部１の下端を充電部２３のコネクター部３８に差込んでプラグ９を端子版４０に接続し、電気かみそりの全体を起立姿勢にする。この状態では、制御基板６８に設けた充電回路から出力される充電電流をプラグ９を介して２次電池６に供給して、同電池６を充電できる。このとき、本体部１に設けたＬＥＤ表示８を点灯させることにより、充電の進行状況を表示することができる。電気かみそりのプラグ９をコネクター部３８に接続した状態では、本体部１の下部が基底部３７から浮き離れている。そのため、本体部１に付着していた水または水滴が、基底部３７へ流下することがあってもプラグ９が濡れることはなく、安全に充電を行える。
【００６４】
電気かみそりでひげ切断を行ったのち、水洗い洗浄したかみそりヘッド２を乾燥し除菌する場合には、図１２に示すように、電気かみそりの全体を倒立姿勢にしたのち、かみそりヘッド２をヘッド装填部２１に装填する。かみそりヘッド２をヘッド装填部２１に装填した状態では、図１に示すように、その前面が位置決めリブ３１・３６で受止められ、さらに外刃３が窓板３５で受止められている。また、収容部１０の後面が座壁４７の上下２個所で受止められ、収容部１０の突端が受止段部４２で受止められるため、倒立姿勢にした電気かみそりを、常に一定の姿勢にして安定した状態で支持できる。この装填過程で、スイッチレバー９２が収容部１０で押下げられてスイッチ素子９３が給電回路を通電状態に切換える。
【００６５】
かみそりヘッド２をヘッド装填部２１に装填した時点で、かみそりヘッド２の内部に入り込んでいた洗浄水が、外刃３を介してヘッド装填部２１の底壁２１ｂ側へ流れ出る。しかし、底壁２１ｂの全体が排水口３２へ向かって下り傾斜させてあるため、外刃３から流出した洗浄水は排水口３２の側へ流下し、さらに排水口３２から排水パン２７の皿状部８４へと落下する。このとき、本体部１のスイッチボタン７をオン操作して内刃４を所定時間だけ空転させることにより、かみそりヘッド２の内部の洗浄水を効果的に排出することができる。
【００６６】
上記の状態で起動スイッチ５１を押込んでスイッチ素子６９をオン操作することにより、軸流ファン２４およびヒーターユニット２５を起動させ、さらに殺菌ＬＥＤ２６を点灯して、除菌乾燥運転を開始することができる。このとき、制御回路は図１３に示すように、温度センサー７８およびスイッチ素子９３などの検知信号を受けて、各機器の作動状態を制御する。
【００６７】
以下、図１４に示すタイミングチャートを参照しながら、各機器の起動タイミングおよび停止タイミングを説明する。起動スイッチ５１がオン操作されると、制御回路はスイッチ素子９３がスイッチレバー９２でオン状態に切換えられていることを条件にして、まずスイッチ照明用のＬＥＤ７０を点灯させる。ＬＥＤ７０は各機器が作動状態にあることを表示するパイロットランプであって、ＬＥＤ７０が点灯することにより除菌乾燥装置が作動状態にあることを知ることができる。同時に、温度センサー７８の環境温度の検知信号と、予め設定された温度条件とを比較して、除菌乾燥する処理時間を環境温度に応じて設定する。例えば、環境温度が１５℃以上であれば、処理時間を８０分＋１０分＋５分とし、環境温度が１５℃未満であれば、処理時間を１７０分＋１０分＋５分に設定する。なお、基準となる環境温度は１５℃である必要はなく、１０℃、２０℃、３０℃など複数の環境温度を基準にして除菌乾燥の処理時間を適宜設定することができる。
【００６８】
除菌乾燥する処理時間が設定されるのを待って（０．０５秒後に）、ヒーターユニット２５と殺菌ＬＥＤ２６とに駆動電流を供給して前段の除菌乾燥処理を開始する。ヒーターユニット２５と殺菌ＬＥＤ２６による除菌乾燥処理は開始から３０分間継続する。その間に伝熱壁３４および窓板３５からの伝導熱および放射熱によって、外刃３、内刃４、および外刃３を支持する外刃ホルダー１１などを６５℃まで加熱し、水滴を蒸発させることができる。同時に、６個の殺菌ＬＥＤ２６から紫外光を照射して、外刃３、内刃４、および外刃ホルダー１１などに付着している雑菌を殺菌できる。
【００６９】
除菌乾燥の開始から３０分間が経過した時点で、軸流ファン２４を起動して乾燥風をヘッド装填部２１へ送給して、中段の除菌乾燥処理を行なう。図１および図８に示すように、軸流ファン２４から送出された乾燥空気（加圧空気）は、トレー体３０の載置部２２側の底壁２２ｂとベース体１７の底壁８８との間の隙間へ送給され、この隙間に設けたガイドリブ６２で前向きに流動案内されたのち、排水口３２からヘッド装填部２１の凹部内へと入込んでかみそりヘッド２の表面に接触し、外刃３、内刃４、および外刃ホルダー１１に付着した水滴を蒸発させる。さらに、かみそりヘッド２と窓板３５との間の隙間を吹き抜ける乾燥空気で、かみそりヘッド２の周囲に蒸発した水蒸気を位置決めリブ３１・３６の間から上向きに排出する。このときの、外刃３、内刃４、および外刃ホルダー１１の表面温度は、環境温度が２０℃である場合に、乾燥風によって冷却されて４５℃前後にまで低下する。
【００７０】
中段の除菌乾燥処理過程では、ヒーターユニット２５による伝熱作用と、軸流ファン２４の送風作用とによって、かみそりヘッド２の内外面に付着している水滴をさらに効果的に蒸発し乾燥させることができる。また、ヒーターユニット２５による伝熱作用と並行して、殺菌ＬＥＤ２６から紫外光を外刃３および内刃４に照射して、外刃３、内刃４、および外刃ホルダー１１に付着している雑菌を殺菌し、あるいは水滴に含まれている雑菌を殺菌することができる。排水パン２７に貯留されていた排水の一部は、中段の除菌乾燥処理を行なう過程で乾燥風に晒されて蒸発し、乾燥風とともに装置外へ排出される。
【００７１】
起動スイッチ５１がオン操作されてから所定時間（８０分、または１７０分）が経過すると、軸流ファン２４が停止され、ヒーターユニット２５と殺菌ＬＥＤ２６のみで後段の除菌乾燥処理を１０分間行なう。この処理過程においては、外刃３、内刃４、および外刃ホルダー１１などが、前段の除菌乾燥処理時と同様に６５℃まで加熱される。従って、後段の除菌乾燥処理が終了した時点では、かみそりヘッド２の内外面を確実に乾燥させて衛生的な状態にすることができる。なお、後段の除菌乾燥処理を行う場合には、シーズヒーター７６の出力を高く設定して、外刃３、内刃４、および外刃ホルダー１１などを、前段あるいは中段の除菌乾燥処理時の加熱温度（６５℃）より高い温度（８０℃）に加熱することができる。
【００７２】
後段の除菌乾燥処理が終了した時点で、ヒーターユニット２５および殺菌ＬＥＤ２６の作動を停止し、軸流ファン２４を再度起動して冷却過程に移行する。軸流ファン２４による冷却過程は開始から５分間だけ継続され、５分が経過した時点で軸流ファン２４を停止し、スイッチ照明用のＬＥＤ７０を消灯し、除菌乾燥処理の全てを終了する。
【００７３】
以上のように構成した除菌乾燥装置の制御回路は、軸流ファン２４の起動に先行してヒーターユニット２５を駆動させ、所定時間が経過したのちに軸流ファン２４を起動させるように構成してある。これにより、軸流ファン２４の起動に先行してヒーターユニット２５の熱のみでかみそりヘッド２を除菌乾燥し、次いで、ヒーターユニット２５の熱と軸流ファン２４から送給される乾燥風との相互作用で除菌乾燥を行うことができる。
【００７４】
また、制御回路は、ヒーターユニット２５と軸流ファン２４とを駆動して所定時間が経過したのちに軸流ファン２４を停止させるように構成してあり、これにより、除菌乾燥過程の終段において、ヒーターユニット２５の熱のみで再度乾燥と殺菌を行うことができる。さらに、制御回路は、除菌乾燥過程が終了した時点でヒーターユニット２５の駆動を停止し、軸流ファン２４を起動するように構成してあり、これにより、除菌乾燥過程の後に、かみそりヘッド２を常温の乾燥風で冷却することができる。
【００７５】
図１５は本発明に係る除菌乾燥装置の別の実施例を示す。そこでは、ハウジング１５を側面視でＬ字状に形成し、そのベース部分に充電部２３を設けた。また、ハウジング１５の上部にヘッド装填部２１を設けて、ヘッド装填部２１の内部にヒーターユニット２５と殺菌ＬＥＤ２６を配置した。ヘッド装填部２１は、ハウジング１５に対して軸９５の周りに回動自在に連結されて、実線で示す除菌乾燥姿勢と、想像線で示す開放姿勢とに姿勢変更できる。符号９６はヘッド装填部２１を除菌乾燥姿勢の側へ向かって回動付勢する捻じりコイル形のばねである。軸９５の下方のハウジング１５の内部には、乾燥風をかみそりヘッド２へ送給するための軸流ファン２４が配置してある。この実施例においても、リング状に配置したシーズヒーター７６の内部に、６個の殺菌ＬＥＤ２６を配置するようにした。
【００７６】
充電部２３は、ベース部分に凹み形成した基底部３７と、基底部３７に膨出したコネクター部３８と、本体部１の下部の前後面を支持する周壁３９とで構成してある。なお、図１から図１２で説明した部材と同じ部材には、同じ符号を付してその説明を省略する。
【００７７】
かみそりヘッド２は、その構成部品の表面に光触媒膜を形成しておくことにより、毛屑室の内部をさらに衛生的な状態に保持することができる。具体的には、外刃３、内刃４の表面、外刃ホルダー１１の内面、毛屑室の内周面のそれぞれに光触媒膜を形成することにより、皮脂や汗などに含まれる有機物を光触媒膜で分解して、有機物の分解等による異臭の発生を防ぐことができる。
【００７８】
光触媒膜は、酸化チタン、硫化カドミウム、硫化亜鉛、ニオブ、酸化第２鉄のいずれかひとつの光触媒材を含有する被膜からなり、スパッタリング、蒸着、ＣＶＤ法、ＰＶＤ法、電着法、あるいは塗布によって形成することができる。内刃４や外刃３等に光触媒材を塗布して光触媒膜を形成する場合には、例えば、酸化チタンゾル、無機コーティング材、硬化触媒を混合して得られる光触媒無機コーティング材を塗布し、常温であるいは数百度の熱を加えて硬化させて形成する。酸化チタンとしては、アナターゼ結晶形の二酸化チタンが好ましいが、銅、銀、白金、その他の金属でメタライズしたルチル形の二酸化チタンであってもよい。なお、光触媒材を含む懸濁液の塗付手段としては、ディップ法、スプレー法、静電印刷、インクジェット、タンポ印刷、スピンコーティングなどを適用できる。
【００７９】
上記の光触媒膜は、近紫外光を照射することにより活性化されて有機物分解作用を発揮する。従って、殺菌ＬＥＤ２６のいくつかが、波長が３５０〜３７０ｎｍの近紫外光を放射できるようにしてあれば、近紫外光で毛屑や皮脂に付着している雑菌等を殺菌しながら、同時に光触媒膜を活性化させて有機物を分解できる。なお毛屑室の内周壁の殆どは、プラスチック成形された外刃ホルダー１１、およびヘッドフレームで占められているので、これらに関しては光触媒膜を形成することに代えて、光触媒粒子を成形素材に混入して有機物分解作用を発揮させてもよい。
【００８０】
上記の実施例では、プラグ９を介して２次電池６を充電するようにしたが、その必要はなく非接触式の充電構造で２次電池６を充電することができる。その場合には、充電部２３の側に発振コイルを設け、電気かみそりの側に受信コイルとコンデンサー、および整流回路などを設けて、非接触状態で充電できるようにするとよい。
【００８１】
送風器２４は軸流ファンである必要はなく、遠心ファンやターボファンなどのファンを適用することができる。ヒーターユニット２５の熱源はリング状に折曲げたシーズヒーターである必要はなく、リング状あるいはＣ字状などに形成したディスク状のセラミックヒーターを適用することができる。殺菌灯２６としては紫外光を放射するランプ、あるいは蛍光灯であってもよい。ヒーター７６は、ヘッド装填部２１の内周面と対向する状態でＣ字状に配置することができ、その場合には、かみそりヘッド２の前面と両側面を加熱して除菌乾燥することができる。送風器２４と排水口３２との間に専用のヒーターを配置して、加熱された状態の乾燥風をヘッド装填部２１へ送給することができる。
【００８２】
本発明は、電気かみそり以外に、バリカンあるいは脱毛器などの除毛器にも適用することができ、その場合のヘッド装填部２１は、バリカンのせん断ヘッド、あるいは脱毛器の脱毛ヘッドの形状および構造に応じて、適合する形状および構造に形成するとよい。
【符号の説明】
【００８３】
２  除毛ヘッド（かみそりヘッド）
１５  ハウジング
１７  ベース板
１８  ハウジング本体
２１  ヘッド装填部
２１ｂ  ヘッド装填部の底壁
２２  載置部
２２ｂ  載置部の底壁
２３  充電部
２４  送風器（軸流ファン）
２５  ヒーターユニット
２６  殺菌灯（殺菌ＬＥＤ）
３２  排水口（乾燥風導入口）
３４  伝熱壁
３５  導光壁（窓板）
５１  起動スイッチ
【図１】
0005866236.tif 000002
【図２】
0005866236.tif 000003
【図３】
0005866236.tif 000004
【図４】
0005866236.tif 000005
【図５】
0005866236.tif 000006
【図６】
0005866236.tif 000007
【図７】
0005866236.tif 000008
【図８】
0005866236.tif 000009
【図９】
0005866236.tif 000010
【図１０】
0005866236.tif 000011
【図１１】
0005866236.tif 000012
【図１２】
0005866236.tif 000013
【図１３】
0005866236.tif 000014
【図１４】
0005866236.tif 000015
【図１５】
0005866236.tif 000016